(57)【要約】【課題】既に普及している記録再生装置を用いた場合においても、リッピング行為による不正コピーを防止することができるデータ記録媒体を提供する。【解決手段】  ＶＴＳＩファイル２６内のどのＰＧＣＩ３０からも参照されないＶＯＢ（＃１）２７ａを、ＶＯＢＳファイル２７内に配置し、データトラック２１におけるＶＯＢ（＃１）２７ａに対応するディスク上の区間を、再生装置の読み取りを妨害するための特殊データトラック区間２１ａとする。【選択図】図６
2008159117.tif 000002
【特許請求の範囲】
【請求項１】
情報信号を符号化した符号化データを第１のファイルとして記録するとともに、前記ファイル化された符号化データの、所望の区間を再生区間として登録してその区間を再生するための再生手順データを第２のファイルとして記録するデータ記録媒体であって、
前記再生手順データに再生区間として登録されない非再生区間を前記第１のファイル内に設け、当該非再生区間に対応する本データ記録媒体上の区間が、再生装置によるファイル単位の読み取りを妨害する特殊データトラック区間であることを特徴とするデータ記録媒体。
【請求項２】
前記特殊データトラック区間は、当該特殊データトラック区間以外の区間とは異なるデータトラック形状であり、再生装置による読み取り時のトラッキング動作を妨害するデータトラック形状を有することを特徴とする請求項１に記載のデータ記録媒体。
【請求項３】
前記特殊データトラック区間は、ピットとランドの出現頻度が異なる区間であり、再生信号の低域成分が大であることを特徴とする請求項１に記載のデータ記録媒体。
【請求項４】
前記特殊データトラック区間は、隣り合うデータトラック間で同一のピットとランドとのパターンが出現する区間であることを特徴とする請求項１に記載のデータ記録媒体。
【請求項５】
前記非再生区間に含まれる所定単位のデータに対して、本データ記録媒体上における位置を示すアドレス情報として不正なアドレス情報が付加されていることを特徴とする請求項１に記載のデータ記録媒体。
【請求項６】
前記非再生区間に含まれる所定単位のデータに対して、前記再生装置においてエラー検査を行うためのエラー検出符号として不正なエラー検出符号が付加されていることを特徴とする請求項１に記載のデータ記録媒体。
【請求項７】
前記非再生区間に含まれる所定単位のデータに対して、当該所定単位のデータに付加されたエラー訂正符号を用いて訂正可能な量を超える量のエラーが付加されていることを特徴とする請求項１に記載のデータ記録媒体。
【請求項８】
前記非再生区間に含まれる所定単位のデータに対して、前記再生装置において同期処理を行うための同期符号として不正な同期符号が付加されていることを特徴とする請求項１に記載のデータ記録媒体。
【請求項９】
前記非再生区間に含まれる所定単位のデータが、前記再生装置において復調不能なデータパタンを有することを特徴とする請求項１に記載のデータ記録媒体。
【発明の詳細な説明】
【技術分野】
【０００１】
本発明は、光ディスクなどのデータ記録媒体に係り、特にコピー保護が必要な著作物としての音声映像信号を配布するに好適なデータ記録媒体に関する。
【背景技術】
【０００２】
映画等の映像コンテンツをデジタル化し、所定のフォーマット化工程を経て読み出し専用のＲＯＭ型の光ディスクを生産し、配布することは、ＤＶＤフォーマットの規格化以降、急速に浸透した。
【０００３】
このようなＲＯＭ型ＤＶＤ等のデータ記録媒体は、コンテンツをデジタルデータとして記録しているため、現時点で利用可能な技術を用いて、高速かつ簡易にコピーを作成することができるため、不正コピーを防止する技術を適用することが不可欠となっている。
【０００４】
実際にコピー保護技術が適用されているＤＶＤに対する不正コピーの形態とその対応策について以下に述べる。
【０００５】
（１）アナログコピー
これは、ＲＯＭ型ＤＶＤの再生装置において、音声映像信号を再生中に音声映像アナログ出力信号から不正コピーを作成する形態である。これについては、コピーガード信号を出力信号に混入しダビングを不可能とする様々な方式が提案されており、実際に利用されている。
【０００６】
（２）ファイルコピー
ＲＯＭ型ＤＶＤにおいては、アプリケーションフォーマットであるＤＶＤ−ＶＩＤＥＯフォーマットに準じて、音声映像信号の符号化データと、この符号化データの再生手順情報をそれぞれファイル化して記録することを基本として、さらに符号化データファイルに対して特定に暗号化鍵を用いて暗号化処理を行った上で記録するようにしている。暗号化鍵に関連する情報は、ＲＯＭ型ＤＶＤにおけるファイル領域以外の所定の領域に配置されており、これらの情報を用いて復号化（暗号解読）処理を行うことによって、再生装置で音声映像信号の再生を行うことができる。
【０００７】
一方、上記暗号化処理が適用されたＲＯＭ型ＤＶＤからファイルコピーを行い、例えば記録型のディスク上にファイル作成した場合、復号化処理に必要な暗号化鍵に関連する情報が記録型ディスク上では欠落している。このため、復号化処理を実行することができず、コピーした記録型ディスクから音声映像信号を再生することができない。このようにしてファイルコピーを無意味なものとし、実質的にコピー防止としている。
【０００８】
（３）ディスクの全面コピー
これは、特殊な再生装置を用いてＲＯＭ型ＤＶＤの全面に渡って記録信号を読み取り、コピーディスクを作成するためのＲＯＭ型ＤＶＤ用のマスタディスクを作成してしまう形態である。
【０００９】
これに対しては、上記特殊な再生装置による再生動作の途中で、読み取りを阻止するための技術が特許文献１に開示されている。この技術は、ＲＯＭ型ＤＶＤ等において通常再生に関わらないトラック区間を特殊なトラック形状とし、トラックに沿った全面読み取りによる不正なコピーを防止するものである。
【特許文献１】特開平１１−３０６６４８号公報
【発明の開示】
【発明が解決しようとする課題】
【００１０】
上記（２）で述べた対応策は、想定される不正なファイルコピーに対して、十分に効果を発揮するものであった。しかしながら、再生装置における暗号の復号化処理をファイルコピーの読み取り動作と書き込み動作との中間に挟み込めば、コピー先の記録型ディスク上では暗号化が適用されていない状態の符号化データファイルが存在することになる。加えて、記録型ディスクにおいて符号化データファイルが暗号化されていない旨を示す情報を同時に書き込んでおけば、その記録型ディスクは任意の再生装置で再生可能となってしまう。すなわち、暗号化によるコピー防止技術は迂回され、不正コピーが行われてしまう。
【００１１】
このような行為はリッピングと呼ばれ、主にコンピュータに接続された記録再生可能なＤＶＤドライブと、コンピュータ上で稼動するソフトウエアとの組み合わせにおいて実行可能と想定される。
【００１２】
これに対して、特許文献１のように、追加のコピー防止技術をＲＯＭ型ディスクに適用してリッピング行為を防止する技術が多数提案されている。例えば、特許文献１では、訂正符号を作成した後に、通常再生に影響を与えない範囲で追加データを埋め込み、再生装置において記録されたコンテンツがオリジナルであるかどうかを、追加データを用いて判定している。しかしながら、既に普及しているＤＶＤ再生装置においては、このような新規技術に対応していないために、実行したとしてもその効果はきわめて小さいと考えられる。
【００１３】
本発明は上記に鑑みてなされたもので、既に普及している記録再生装置を用いた場合においても、リッピング行為による不正コピーを防止することができるデータ記録媒体を提供することを目的とする。
【課題を解決するための手段】
【００１４】
上記目的を達成するため、本発明のデータ記録媒体は、情報信号を符号化した符号化データを第１のファイルとして記録するとともに、前記ファイル化された符号化データの、所望の区間を再生区間として登録してその区間を再生するための再生手順データを第２のファイルとして記録するデータ記録媒体であって、前記再生手順データに再生区間として登録されない非再生区間を前記第１のファイル内に設け、当該非再生区間に対応する本データ記録媒体上の区間が、再生装置によるファイル単位の読み取りを妨害する特殊データトラック区間であることを特徴とする。
【００１５】
また、本発明のデータ記録媒体は、前記特殊データトラック区間は、当該特殊データトラック区間以外の区間とは異なるデータトラック形状であり、再生装置による読み取り時のトラッキング動作を妨害するデータトラック形状を有することを特徴とする。
【００１６】
また、本発明のデータ記録媒体は、前記特殊データトラック区間は、ピットとランドの出現頻度が異なる区間であり、再生信号の低域成分が大であることを特徴とする。
【００１７】
また、本発明のデータ記録媒体は、前記特殊データトラック区間は、隣り合うデータトラック間で同一のピットとランドとのパターンが出現する区間であることを特徴とする。
【００１８】
また、本発明のデータ記録媒体は、前記非再生区間に含まれる所定単位のデータに対して、本データ記録媒体上における位置を示すアドレス情報として不正なアドレス情報が付加されていることを特徴とする。
【００１９】
また、本発明のデータ記録媒体は、前記非再生区間に含まれる所定単位のデータに対して、前記再生装置においてエラー検査を行うためのエラー検出符号として不正なエラー検出符号が付加されていることを特徴とする。
【００２０】
また、本発明のデータ記録媒体は、前記非再生区間に含まれる所定単位のデータに対して、当該所定単位のデータに付加されたエラー訂正符号を用いて訂正可能な量を超える量のエラーが付加されていることを特徴とする。
【００２１】
また、本発明のデータ記録媒体は、前記非再生区間に含まれる所定単位のデータに対して、前記再生装置において同期処理を行うための同期符号として不正な同期符号が付加されていることを特徴とする。
【００２２】
また、本発明のデータ記録媒体は、前記非再生区間に含まれる所定単位のデータが、前記再生装置において復調不能なデータパタンを有することを特徴とする。
【発明の効果】
【００２３】
本発明によれば、再生手順データに再生区間として登録されないファイル内の非再生区間に対応するデータ記録媒体上の区間であり、再生装置によるファイル単位の読み取りを妨害する区間である特殊データトラック区間を備えるので、既に普及している記録再生装置を用いた場合においても、リッピング行為による不正コピーを防止することができる。
【発明を実施するための最良の形態】
【００２４】
以下、本発明を実施するための最良の形態について、図面を参照して説明する。本実施の形態では、まずＲＯＭ型ＤＶＤのマスタディスク製作のための信号処理工程を説明し、その後マスタディスクを用いたプレス工程を経て量産されるＲＯＭ型ＤＶＤ上に配置され、ＤＶＤ−ＶＩＤＥＯ規格に準拠するファイルのファイル内データ構成を説明した後に、本発明の適用例について説明する。
【００２５】
図１はＲＯＭ型ＤＶＤのマスタディスクを製作するためのマスタディスク製作装置の構成を示す図、図２は図１に示すマスタディスク製作装置を用いてマスタディスクを製作するための信号処理工程を示すフローチャートである。
【００２６】
図１に示すようにマスタディスク製作装置１００は、ハードディスクドライブ等からなり、所望の記録情報を保持するデータ記録部１０１と、データ記録部１０１から２０４８バイトのセクタを１６セクタ単位で読み出すデータ書き込み回路１０２と、データ書き込み回路１０２から転送されるセクタデータを記憶するメモリ１０３と、セクタアドレスを発生するアドレス発生回路１０４と、各セクタデータに付加するヘッダとフッタとを生成するヘッダ／フッタ付加回路１０５と、各セクタデータに付加するＰＩ（Inner Parity Code：エラー訂正用内符号）とＰＯ（Outer Parity Code：エラー訂正用外符号）とを計算する訂正符号化回路１０６と、所定のインターリーブ処理に対応する順序でメモリ１０３からデータを読み出し出力するデータ読み取り回路１０７と、データ読み取り回路１０７により読み出されデータに同期符号を付加する同期符号付加回路１０８と、同期符号付加回路１０８の出力データに変調処理を施す変調回路１０９と、レーザービームを発生するレーザー光発生器１１０と、レーザー光発生器１１０からのレーザービームを変調回路１０９の出力にしたがってＯＮ／ＯＦＦしてマスタディスク１１２に照射する光変調器１１１と、マスタディスク１１２を保持するターンテーブル１１３と、ターンテーブル１１３を駆動するターンテーブル駆動部１１４とを備える。
【００２７】
データ書き込み回路１０２、メモリ１０３、ヘッダ／フッタ付加回路１０５、訂正符号化回路１０６、データ読み取り回路１０７は、データバス１１５を介して互いに接続されている。
【００２８】
次に、図１に示すマスタディスク製作装置を用いてマスタディスクを製作するための信号処理工程を、図２に示すフローチャートを参照して説明する。
【００２９】
まず、ステップＳ１０において、データ書き込み回路１０２は、データ記録部１０１が保持するデータを２０４８バイト単位でメモリ１０３へ転送する。通常、この２０４８バイトのデータはセクタデータと呼ばれる。セクタデータはディスク全面に対応して順次データ記録部１０１からメモリ１０３へ転送されるが、訂正符号化の単位が１６セクタであるため、１６セクタ単位でメモリ１０３に転送される。
【００３０】
次いで、ステップＳ２０において、アドレス発生回路１０４は、各セクタデータに割り付けるディスク上のアドレスであるセクタアドレスを発生し、これをヘッダ／フッタ付加回路１０５に出力する。
【００３１】
次いで、ステップＳ３０において、ヘッダ／フッタ付加回路１０５は、１６個のセクタについて、セクタアドレスを含む１２バイトのヘッダを生成するとともに、メモリ１０３から読み取ったセクタデータについて４バイトのエラー検出データを算出してフッタを生成し、生成したヘッダとフッタとをメモリ１０３の所定位置に書き込む。ここでヘッダとフッタとが付加されたセクタは、図３に示すように、２０６４バイト（１７２バイト×１２行）となる。
【００３２】
次いで、ステップＳ４０において、スクランブル処理によって２０４８バイトのセクタデータ部分をスクランブルする。２０４８バイトのスクランブルパターンを用意するにあたり、図示しないＭ系列発生装置を用い、セクタアドレスに対応する値（シード値）を先頭とするＭ系列を発生し、セクタデータとのバイトごとの排他的論理和を計算し、セクタデータを置き換えることによって、スクランブル処理を完了する。
【００３３】
セクタデータとして、例えば全零のように固定したデータが連続すると、最終的なディスク上のピットパターンが隣り合うトラックで同様なパターンとなるので、再生時のトラッキングサーボ動作が不安定となるが、スクランブル処理は、これを回避する目的で行う。したがって、スクランブルパターンは少なくとも隣り合うトラック区間では異なるシード値から生成されている。
【００３４】
次いで、ステップＳ５０において、訂正符号化回路１０６は、メモリ１０３の内容を読み出し、横方向１７２バイトに対して１０バイトのＰＩを計算するとともに、縦方向１９２バイトに対して１６バイトのＰＯを計算して、得られたＰＩ，ＰＯをメモリ１０３の所定位置へ書き込み、積符号とする。
【００３５】
次いで、ステップＳ６０において、データ読み取り回路１０７は、出力が所定のインターリーブ処理に対応する順序でメモリ１０３からデータを読み出し出力する。このインターリーブ処理によって、１６行のＰＯは、１２行に１行の割合で分散配置される。この時点で、図４に示すように、横方向に１８２バイト、縦方向に２０８行（１３行×１６セクタ）の訂正ブロック２０が構成されている。
【００３６】
次いで、ステップＳ７０において、同期符号付加回路１０８は、データ読み取り回路１０７から入力される訂正ブロック２０の横方向１８２バイトを９１バイトに２分割し、それぞれの先頭に３２ビットの同期符号を挿入する。
【００３７】
次いで、ステップＳ８０において、変調回路１０９は、同期符号付加回路１０８において分割された９１バイトの各バイトを１６ビットの変調ビット列に変換し、図５に示すように、都合１４５６ビットの変調ビット列とする。上記１６ビットの変調ビット列は、例えば“００１０００００００００１００１”であり、連続するビット０の数が最小２、最大１０であるように変換する。後述する信号記録においては、ビット１でレーザービームの照射開始、終了を制御するので、マスタディスク上にはビット１と引き続くビット０の群に対応してピットが形成されることになる。
【００３８】
変調回路１０９における変調処理は、記録信号の低域成分を低減させる制御を含んでおり、ＤＣＣ（ＤＣコントロール）と呼ばれる。ＤＣＣによって、ディスク再生時にピックアップのサーボ制御で用いる帯域と記録信号帯域を分離することにより、安定したサーボ動作が可能になる。ＤＣＣはディスク上のピットとランドの出現頻度が等しくなるように制御が実行される。これは、上記１６ビットの変調ビット列へ変換する際に、２種類のビット列から選択可能な場合に、ピットとランドの出現頻度が等しくなるように、適応的に選択を行うことによって達成される。
【００３９】
そして、ステップＳ９０において、光変調器１１１は、レーザー光発生器１１０からのレーザービームを変調回路１０９の出力にしたがってＯＮ／ＯＦＦしてマスタディスク１１２に照射する。そして、光変調器１１１の出力によりターンテーブル１１３上のマスタディスク１１２が感光することにより、トラックの記録が実行される。この際、ターンテーブル駆動部１１４は、マスタディスク１１２上で螺旋状のトラックが形成されるように回転制御と水平方向への移動制御を行いながらターンテーブル１１３を駆動する。
【００４０】
すべてのトラック記録が終了した後に、マスタディスク１１２は現像処理されて、マスタディスク上に物理的なトラックが形成されることになる。そして、上述した信号処理工程を経て製作されたマスタディスクは、プレス工程で使用され、ピットのパターンを転写することによりＲＯＭ型ＤＶＤが生産される。
【００４１】
次に、マスタディスクを用いたプレス工程を経て量産されるＲＯＭ型ＤＶＤに記録されたセクタデータの内容の観点から、ディスク構成を説明する。図６はアプリケーション規格であるＤＶＤ−ＶＩＤＥＯ規格に準拠したディスクのデータ構成を示す図である。
【００４２】
ディスク上のピット列で構成されるデータトラック２１は、再生装置によって一連のデータセクタに復号が可能である。データセクタ列２２は、内部に格納するデータの種類にしたがってグループ化される。ディスクの最内周側にはリードインエリア２３が配置される。このリードインエリア２３内には、主にディスクが持つ物理的なパラメータに関する情報が格納される。
【００４３】
続いて、ＵＤＦ（Universal Disk Format）領域２４が配置される。このＵＤＦ領域２４はファイルシステムデータの集合であり、引き続きディスク上に配置されるファイルの名前、サイズ、記録位置等の情報が格納されている。この情報により、再生装置においてディスク上のすべてのファイルへのアクセスが可能となる。
【００４４】
続いて、ＤＶＤ−ＶＩＤＥＯ規格にしたがって、ＶＭＧ（Video Manager）ファイル２５が配置される。このＶＭＧファイル２５はディスク全体に関連する情報を格納するが、本発明とは直接の関係が無いため、内容の説明は省略する。
【００４５】
続いて、ＤＶＤ−ＶＩＤＥＯ規格にしたがって、ＶＴＳＩ（Video Title Set Information）ファイル２６が配置される。このＶＴＳＩファイル２６は、引き続くＶＯＢＳ（Video Object Set）ファイル２７内の符号化データを再生するための再生手順データを格納している。
【００４６】
続いて、ＤＶＤ−ＶＩＤＥＯ規格にしたがって、ＶＯＢＳファイル２７が配置される。このＶＯＢＳファイル２７は、１つ以上のＶＯＢ（Video Object）によって構成されており、図６に示す例では、３つのＶＯＢ（＃１）２７ａ〜（＃３）２７ｃから構成されている。ＶＯＢは圧縮処理されたビデオストリーム、オーディオストリーム等を多重化した符号化データであり、ＭＰＥＧ（Moving Picture Experts Group）規格のプログラムストリーム形式となっている。
【００４７】
各ＶＯＢ（＃１）２７ａ〜（＃３）２７ｃは、全体の再生が可能であることはもちろんであるが、圧縮されているとはいえ概略０．５秒の単位で復号開始が可能な点（以降、エントリーポイントと呼ぶ）がその内部に存在する。したがって、エントリーポイントのディスク上のアドレスとエントリーポイント直前のディスク上のアドレスとを指定すれば、ＶＯＢの一部分を再生することができる。図６に示すように、このＶＯＢ内の部分的な再生区間をセルと称する。
【００４８】
ディスクの最外周側には、ディスク上に未記録部分を残さないためにリードアウトエリア２８が配置される。
【００４９】
ここで、ＶＴＳＩファイル２６の内容の説明に戻る。ＶＴＳＩファイル２６はその内部にＰＧＣＩＴ（Program Chain Information Table）２９を格納している。ＰＧＣＩＴ２９内には１つ以上のＰＧＣＩ（Program Chain Information）３０が格納される。ＰＧＣＩ３０は、前述のセル自身と、セルの再生順序を規定しているため、再生手順データに該当する。
【００５０】
ＤＶＤ−ＶＩＤＥＯ規格に準拠する再生装置は、このＰＧＣＩ３０を解釈し、セルを再生することによって動作している。ＰＧＣＩ３０は、その内部に通常１つ以上のＣＰＢＩ（Cell Playback Information）を格納し、各ＣＰＢＩ（＃１）３１ａ，（＃２）３１ｂ，…が、各セルの定義データとなる。
【００５１】
ＣＰＢＩ（＃１）３１ａ，（＃２）３１ｂ，…は、マルチアングル再生を制御するデータ（ここでは、InAngleBlockと呼ぶ）、セルの開始アドレス（ここでは、CellStartAddressと呼ぶ）、およびセルの終了アドレス（ここでは、CellEndAddressと呼ぶ）を格納している。
【００５２】
本実施の形態では、InAngleBlock３２ａ，３２ｂは０に設定され、再生装置はＣＰＢＩ（＃１）３１ａ，（＃２）３１ｂ，…が記述されている順序にしたがって、連続的にセルを再生する。本実施の形態では、ＣＰＢＩ（＃１）３１ａによってＶＯＢ（＃２）２７ｂ内のセルが規定され、続いてＣＰＢＩ（＃２）３１ｂによってＶＯＢ（＃３）２７ｃ内のセルが規定されている。
【００５３】
したがって、再生装置は、ＰＧＣＩ３０にしたがって再生を行う場合、ＶＯＢ（＃２）２７ｂのセルをディスク上から検索して再生し、続いてＶＯＢ（＃３）２７ｃのセルを検索して再生することになる。
【００５４】
ここで、ＶＴＳＩファイル２６内のどのＰＧＣＩ３０からも参照されないＶＯＢを、ＶＯＢＳファイル２７に含ませることができる。上述したように、再生装置はＰＧＣＩ３０にしたがって再生を実行するために、上記ＶＯＢ（＃１）２７ａの存在はいかなる再生形態にも関係がない。
【００５５】
一方、前述したように、リッピングにおいてはファイル単位の読み取りを行うと想定される。そこで、本実施の形態では、図６に示すように、データトラック２１におけるＶＯＢ（＃１）２７ａに対応する区間を、再生装置の読み取りを妨害するための特殊データトラック区間２１ａとする。これにより、再生装置において特殊データトラック区間２１ａの読み取りが困難となるので、リッピングを防止することができる。以下、特殊データトラック区間２１ａの構成例について説明する。
【００５６】
（１）特殊なデータトラック形状
特殊データトラック区間２１ａにおけるデータトラックの形状を、特殊データトラック区間２１ａ以外の区間とは異なる特殊な形状とすることにより、再生装置において特殊データトラック区間２１ａを読み取る際のトラッキング動作を妨害することが可能である。
【００５７】
前述したマスタディスクの製作に際し、図２に示すフローチャートの最終工程である信号記録処理（ステップＳ９０）においては、マスタディスク１１２を一定線速度で回転させるとともに、変調回路１０９からの変調信号に応じて、光変調器１１１においてレーザービームをＯＮ／ＯＦＦしてマスタディスク面へ照射する。そして、ターンテーブル駆動部１１４によりレーザービーム照射位置をマスタディスク１１２の内周から外周へ向けて一定速度で半径方向に移動させることで、マスタディスク１１２上にピット列からなるデータトラックを形成する。
【００５８】
この信号記録処理の際、特殊データトラック区間２１ａにおいて、例えば、レーザービーム照射位置の移動速度を低下させることにより、特殊データトラック区間２１ａ以外の区間と比べてトラックピッチを極端に小さくすることができる。また、レーザービーム照射位置を半径方向に周期的に変動させることにより、データトラック形状を波状とすることができる。また、レーザービームの照射量を極端に低減することにより、特殊データトラック区間２１ａを、ピットが形成されない区間とすることができる。
【００５９】
このようにして、特殊データトラック区間２１ａにおけるデータトラックの形状を、上述のように特殊な形状とすることにより、再生装置における特殊データトラック区間２１ａの読み取り時のトラッキング動作を妨害することが可能となる。これにより、リッピングを防止することができる。
【００６０】
（２）デジタル変調の操作
特殊データトラック区間２１ａにおいて、ピット、ランドのうちの一方の出現頻度を極端に多くしたり、出現頻度を周期的に変動させたりすることにより、再生信号の低域成分を大とし、再生装置において特殊データトラック区間２１ａを読み取る際のトラッキング動作を妨害することが可能である。
【００６１】
前述したように、通常、マスタディスク製作のための信号処理工程における変調処理（ステップＳ８０）においては、ピットとランドの出現頻度が等しくなるように、変調ビット列の選択制御を実行している。
【００６２】
本例では、上記変調処理において、この変調ビット列の選択制御を変更することで、特殊データトラック区間２１ａにおけるピットもしくはランド一方の出現頻度を極端に多くしたり、出現頻度を周期的に変動させたりする。これにより、再生装置における特殊データトラック区間２１ａの読み取り時のトラッキング動作を妨害することが可能となり、リッピングを防止することができる。
【００６３】
（３）スクランブル処理の無効化
特殊データトラック区間２１ａにおいて、ディスク上の隣り合うデータトラック間で同一のピットとランドとのパターンを出現させることで、再生装置において特殊データトラック区間２１ａを読み取る際のトラッキング動作を妨害することが可能である。
【００６４】
前述したように、マスタディスク製作のための信号処理工程におけるスクランブル処理（ステップＳ４０）は、固定的な内容のセクタデータが連続したとしても、ディスク上の隣り合うデータトラック間でピットとランドとのパターンが同一とならないようにスクランブルパターンをセクタアドレスから決定し、セクタデータと排他的論理和を実行する処理である。
【００６５】
したがって、セクタデータとして所望の固定データとそのセクタに適用されるスクランブルパターンの排他的論理和をとったデータを用意すれば、スクランブル処理を無効化でき、結果的に隣り合うデータトラック間で同様のピットとランドとのパターンが出現する。これにより、再生装置における特殊データトラック区間２１ａの読み取り時のトラッキング動作を妨害することが可能となり、リッピングを防止することができる。
【００６６】
この際、固定データとして、変調処理（ステップＳ８０）において低域成分の制御が不可能な値を選択すれば、より効果が高い。通常、音声映像信号の符号化データでは、このような固定データを選択することは不可能であるが、ＭＰＥＧ規格で認められているプライベートストリーム形式で固定データを格納し、音声映像ストリームと多重化を行えばよい。
【００６７】
（４）規格を逸脱する信号フォーマット
図３〜５に示す信号フォーマットに準拠することは、互換再生の観点から重要であるが、特殊データトラック区間２１ａに対応するデータ区間に限り、規格を逸脱する信号フォーマットとすることにより、再生装置においてリードエラーを引き起こすことが可能である。以下、マスタディスク製作のための信号処理工程において、特殊データトラック区間２１ａに対応するデータ区間を、規格を逸脱する信号フォーマットとする処理の例を示す。
【００６８】
（ａ）ヘッダ／フッタ付加処理（ステップＳ３０）において、連続性を有しないセクタアドレスをヘッダに配置する、あるいは正しくないエラー検出符号の値をフッタに配置する。再生装置はセクタアドレスの連続性のチェックとエラー検出符号によるエラー検査を実行しているので、上記の処理を行うことにより、再生装置においてリードエラーを引き起こすことが可能である。
【００６９】
（ｂ）訂正符号化処理（ステップＳ５０）において、メモリ１０３から読み取ったセクタデータに故意に大量のエラーを含ませる。これにより、再生装置においては訂正能力を超えるエラーが存在すると判断させることによりリードエラーを引き起こすことが可能である。
【００７０】
（ｃ） 同期符号付加処理（ステップＳ７０）において、不正な同期符号を配置する。これにより、再生装置では同期処理が正しく行われない状態となり、リードエラーを引き起こすことが可能である。
【００７１】
（ｄ） 変調処理（ステップＳ８０）において、復調不能なデータパタンへの置換を行う。これにより、再生装置で復調不能によるリードエラーを引き起こすことが可能である。
【００７２】
通常、リードエラーが致命的とならないストリームデータの場合、再生装置においては、リードリトライを行わずに、次のリード動作に入るように制御することが可能であるが、相当数のリードエラーが連続して発生した場合は、ファイルの読み取り動作を中止する可能性が高い。したがって、特殊データトラック区間２１ａに対応するデータ区間において上記（ａ）〜（ｄ）の処理を行い、規格を逸脱する信号フォーマットとすることにより、再生装置においてリードエラーを引き起こすことが可能となり、リッピングを防止することができる。
【００７３】
上記説明のように、本実施の形態では、ＶＴＳＩファイル２６内のどのＰＧＣＩ３０からも参照されないＶＯＢ（＃１）２７ａを、ＶＯＢＳファイル２７内に配置し、データトラック２１におけるＶＯＢ（＃１）２７ａに対応するディスク上の区間を、再生装置の読み取りを妨害するための特殊データトラック区間２１ａとする。通常の再生装置では特殊データトラック区間２１ａを読み出すことがないため、音声映像の再生には影響を与えないが、ＶＯＢＳファイル２７全体を読み込んで暗号を復号化しようとする場合は、特殊データトラック区間２１ａを読み出すことになるため、ファイル読み出し操作が不完全な形で終了する。したがって、本実施の形態によれば、既に普及している記録再生装置を用いた場合においても効果的にリッピング行為を防止することができる。
【産業上の利用可能性】
【００７４】
本発明は、ＤＶＤ−ＶＩＤＥＯ規格に適合したファイル内のデータ構成を有し、主に映画コンテンツの販売に用いられるＲＯＭ型ＤＶＤに適用できる。
【図面の簡単な説明】
【００７５】
【図１】ＲＯＭ型ＤＶＤのマスタディスクを製作するためのマスタディスク製作装置の構成を示す図である。
【図２】図１に示すマスタディスク製作装置を用いてマスタディスクを製作するための信号処理工程を示すフローチャートである。
【図３】ヘッダおよびフッタが付加されたセクタデータを説明するための図である。
【図４】訂正ブロックの構成を示す概略図である。
【図５】変調処理後のデータを説明するための概略図である。
【図６】ＤＶＤ−ＶＩＤＥＯ規格に準拠したディスクのデータ構成を示す図である。
【符号の説明】
【００７６】
２１  データトラック
２１ａ  特殊データトラック区間
２２  データセクタ列
２３  リードインエリア
２４  ＵＤＦ
２５  ＶＭＧファイル
２６  ＶＴＳＩファイル
２７  ＶＯＢＳファイル
２７ａ  ＶＯＢ（＃１）
２７ｂ  ＶＯＢ（＃２）
２７ｃ  ＶＯＢ（＃３）
２８  リードアウトエリア
２９  ＰＧＣＩＴ
３０  ＰＧＣＩ
３１ａ  ＣＰＢＩ（＃１）
３１ｂ  ＣＰＢＩ（＃２）
１００  マスタディスク製作装置
１０１  データ記録部
１０２  データ書き込み回路
１０３  メモリ
１０４  アドレス発生回路
１０５  ヘッダ／フッタ付加回路
１０６  訂正符号化回路
１０７  データ読み取り回路
１０８  同期符号付加回路
１０９  変調回路
１１０  レーザー光発生器
１１１  光変調器
１１２  マスタディスク
１１３  ターンテーブル
１１４  ターンテーブル駆動部
【図１】
2008159117.tif 000003
【図２】
2008159117.tif 000004
【図３】
2008159117.tif 000005
【図４】
2008159117.tif 000006
【図５】
2008159117.tif 000007
【図６】
2008159117.tif 000008